(57)【要約】      （修正有）【課題】マイナスイオンの放出が知られており遠赤外線を発する堆積性変成岩鉱物と、金属箔の存在により、弱電気が発生することによる電池作用で、つぼに集まった体液中のプラスイオンを誘引し、金属箔に移動させ、金属箔に移動させたプラスイオンを温熱灸棒に吸引し、体外に放電させることによる、痛い、熱い、細菌感染等の問題がない温熱膏を提供する。【解決手段】遠赤外線を放射する鉱物の微粉末を粘着性の酢酸ビニール樹脂と混ぜ、これを薄く延ばした後、直径３ｍｍの円形に切り抜き、厚さ２０ミクロン程度の箔を直径６ｍｍの円形に切断した金属箔２の裏に貼り付け、さらにつぼに貼りつけるための通気性の良い医療用粘着テープ１を貼った構成とする。【選択図】図１
2014036825.tif 000002
【特許請求の範囲】
【請求項１】
厚さ２０ミクロン程度の金属箔を直径６ｍｍの円形に切り抜き、これを通気性の良い医療用粘着テープに貼り、それを（はり灸）のつぼに貼りつける事。  粘着テープの直径は１２ｍｍ程度とする。金属箔には電気伝導度と熱伝道度高い金属で金、銀、銅、アルミニューム等が良い。この発明品を温熱膏という。
【請求項２】
遠赤外線を放射する鉱物の微粉末を粘着性の酢酸ビニール樹脂と混ぜ、これを薄く延ばし直径３ｍｍの円形に切り抜く。  これを請求項１の６ｍｍの金属箔の裏に貼り付ける。鉱物は石墨片岩などの炭素を含む堆積性変成岩が良い。
【請求項３】
上記の請求項１の（つぼ）に貼る直径１２ｍｍの医療用テープの中央に、直径３ｍｍの穴を開け、その穴に接する金属箔の表面に銅地金製の鎚状の温熱灸棒を摂氏７０度程度に熱し、治療のつど温熱膏を加熱する。
温熱灸棒で加熱されたつぼは若干の火傷を起こす同じ効果があり、これは中国医学の（灸）の効果と同じである。同時に（つぼ）に蓄積されたプラスイオンは金属箔に移動し、このプラスイオンは電気の良導体である温熱灸棒に移動し体外に放電される。これは中国医学の（はり）の効果と同じ。
【請求項４】
中国医学で呼ばれている人体の（はり灸）のつぼは皮膚の表面に起きた異常を中枢神経に伝える働きをしており、切り傷、火傷、細菌性化膿虫刺され等色々な異常に対応するが、最近の医学界では身体の新陳代謝に伴って体液の静電気の平衡状態の異常が起こり、プラスイオンが体内に蓄積される傾向が報告され、そのプラスイオンの体内蓄積が各種の病気の原因になっている事が究明されている。銅製の鎚で温熱膏の表面に接すると電気の良導体である銅に（つぼ）からのプラスイオンが移動し、つぼに蓄積されたプラスイオンは銅鎚に吸収され体外に放電される。
尚、この温熱膏に対する加熱で、遠赤外線を放射する鉱物を熱する為にその鉱物の内部の原子の原子振動が強まり、更なる遠赤外線放射の増加が可能となる。鉱物から発生した遠赤外線は体の表面から体の中に染み透おって入り、体内の体液の分子を振動させ、体が必要とする温度を発生させ、同時に健康管理をしてくれる。
【発明の詳細な説明】
【技術分野】
【０００１】人体は色々な原因で病気になる。怪我や火傷や打撲や細菌による化膿性疾患など原因が多岐に亘っている。中でも体液の静電気の平衡状態の異常が、各種の病気を併発する事がとても多い事が知られている。特に体の中のプラスイオンが増加すると、血液もリンパ液も粘性が増加し、それに伴い色々な病気が併発される。本発明は、体液の中で増加したプラスイオンを減少させて、健康の回復に対応したものである。体液中で増加したプラスイオンは、体の表面の（はり灸）のつぼに集中されている事が知られている。
特に本発明は、金属類の中でも電気伝導度と熱伝導度が高い金、銀、銅、アルミ等を使用し、更に遠赤外線を発する鉱物で，且つ、マイナスイオンを発することガ知られている堆積性変成岩を使用し、つぼからプラスイオンを放電させ、これで体液の静電気平衡を維持することを目的としたものである。【０００２】この発明は従来の中国医学を基本にした（はりと灸）の効果を同時に行うことを目的とした健康用品であるが、同時に遠赤外線を発生する鉱物を使用しているので、遠赤外線による健康上の治療効果があるし、又その鉱物を熱する事で、鉱物の中の元素の原子に更なる原子振動が加わり、遠赤外線の発生の増加が起こり、より程度の高い健康管理が可能となっている。中国の伝統的医学療法の一種である人体の（はり灸）のツボは経穴とも呼ばれ、体液の集中している箇所で、体液が移動する通路である経絡の情報交換センターでもある。体の表面の色々な症状を察知して、その情報を付近の経絡を通じて身体の集中管理センターに情報する機能を持っている。一般的に、中国医学ではつぼに集中したプラスイオンは鍼（はり）とよばれる金属棒を通じて体外に放電されるが、これが（はり）の基本である。本発明は温熱灸棒による熱で、体は火傷が起きたことを察知し、治癒に必要な体液を必要とする箇所に流すという自然治癒力を増進させるのである。これが灸の基本である。それと同時に、銅製の温熱灸棒をつぼの上に貼ってある温熱膏に当て、つぼの表面の金属箔に溜まってきたプラスイオンを、吸収し、そのプラスイオンを温熱灸棒の上部から空中に放電させる働きをしているのである。【０００３】今回の発明は、従来の（はり灸）の実施に伴う各種の面倒な問題に対応するように考えられたものであり、簡単に皮膚表面に貼るだけで、各種の問題を解決しているのである。
【背景技術】
【０００４】
【非特許文献１】  公開特許広報（Ａ）  特許公開２００４−３５１１６２  金箔灸
【非特許文献２】  公開特許広報（Ａ）  特許公開２００８−２６４４４０  金属箔皮膚電池
【発明の開示】
【発明が解決しようとする課題】
【０００５】古来からの中国医学を基本にした医療行為には、（はり）や（灸）を基本にした物もあるが、熱い、痛い、細菌感染などの欠点が存在している。今回の発明では、金属箔温熱膏を（つぼ）に貼るだけで、初期の目的を達することができる。遠赤外線の効果については、アメリカのＮＡＳＡが発表している様に、体の各種病状の治療に対して効果がると同時に無害である事も発表されている。皮膚の表面が遠赤外線の放射を受けると、この放射線は皮膚から体の内部に浸透し、体の中の水分や他の分子と衝突し、衝突した相手の分子を振動させ、必要な温度が発生し、それを供給している。同時に、これが、色々な体の病気に対する治療効果を発揮していることが、近代医学の立場の専門家により究明されているのは事実である。
【発明の効果】
【０００６】金属箔温熱膏を皮膚の上の、中国医学で呼ばれている（はり灸）のつぼに貼るだけで、体の自然治癒力を増進し、しかも無害であり、安全な各種の病気の治療効果が発生する。銅製の鎚である温熱灸棒を摂氏７０度程度に熱してこれで（つぼ）に貼ってある温熱膏にあて、熱すると、膏は摂氏７０度程度に熱せられ、直下の皮膚の表面も熱せられて、若干の火傷を生じる事になる。これは灸の効果である。同時に、温熱膏の中の鉱物が暖められ、構成鉱物の内部の原子振動が増加し遠赤外線放射の度合が高まり、更なる良い効果が発生する。
【発明の実施にするための最良の形態】
【０００７】以下、本発明の実施の形態を図１〜図５に基づいて説明する。
【０００８】図１本発明を斜めから見た図
１  直径１２ｍｍの通気性の良い医薬用粘着テープ（透明絆創膏）
厚さ０．３ｍｍ
２  電気伝導度と熱伝導度の高い金属箔。直径６ｍｍ。厚さ２０ミクロン
３  石墨片岩の微粉を接着剤と混和して薄板状にしたもの。直径３ｍｍ。
図２は発明の温熱膏を真横から見た図
図３は発明の温熱膏を真上から見た図
図４は発明の温熱膏を真下から見た図
図５は発明の温熱灸棒の概略図。
温熱灸棒は通常の電気銅の棒を削って作ったもので、長さは１２ｃｍ程度の電気銅の銅棒を切断、研磨、加工して鎚状にした温熱灸棒。重量は製品となったもので４００グラム程度であり、３０ｃｍの木製の柄を付けたもので、使用の際、銅鎚を摂氏７０度の温湯に３分漬け込めばよい。
【図面の簡単な説明】
【０００９】金属箔製の温熱膏と、温熱膏を熱する銅製の温熱灸棒
【図１】  温熱膏の概略斜視図
【図２】  温熱膏を真横から見た図
【図３】  温熱膏を真下から見た図
【図４】  温熱膏を真上から見た図
【図５】  銅製の温熱灸棒を真横から見た図
【図１】
2014036825.tif 000003
【図２】
2014036825.tif 000004
【図３】
2014036825.tif 000005
【図４】
2014036825.tif 000006
【図５】
2014036825.tif 000007